(57)【要約】【課題】構造が簡単で、使用上便利であり、確実に防蟻効果を有する防蟻装置を提供する。【解決手段】  上部プレート１０の底面からは下向きに数本の同心であり、且つ内側から外側に向かって数層に並ぶ上部環状壁３０が設けられており、それにより隣り合う二つの上部環状壁３０は数層の独立した上部環状道６０を形成しており、上部プレート１０の中央には嵌接部４０が設けられており、下部プレート２０の頂面からは上向きに数本の同心であり、且つ内側から外側に向かって数層に並ぶ下部環状壁３５が設けられており、それにより隣り合う二つの下部環状壁３５は数層の独立した下部環状道７０を形成しており、下部プレート２０の中央には上部プレート１０の嵌接部４０に対応する嵌接部４５が設けられており、上部プレート１０と下部プレート２０は嵌接部４０、４５によってお互いに接合され、上部環状壁３０と下部環状壁３５は交錯し、且つ一定の距離を保って分布しており、各上部環状壁３０はちょうど対応する各下部環状道３５の適当な深さまで進入することができ、各下部環状道７０の底面と下部環状壁３５は適当な距離を有し、下部環状壁３５はちょうど対応する各上部環状道６０の適当な深さまで進入することができ、各上部環状道６０の底面と上部環状壁３０は適当な距離を有していることを特徴とし、蟻８０の嗅覚と視覚を混乱させ、蟻８０の体力を消耗させることにより防蟻の目的を達成するものである。
2005516598.tif 000002
【特許請求の範囲】
【請求項１】
蟻の嗅覚と視覚を混乱させる防蟻装置において、
上部プレートの底面からは下向きに数本の同心であり、且つ内側から外側に向かって数層に並ぶ上部環状壁が設けられており、それにより隣り合う二つの上部環状壁は数層の独立した上部環状道を形成しており、上部プレートの中央には嵌接部が設けられており、
下部プレートの頂面からは上向きに数本の同心であり、且つ内側から外側に向かって数層に並ぶ下部環状壁が設けられており、それにより隣り合う二つの下部環状壁は数層の独立した下部環状道を形成しており、下部プレートの中央には上部プレートの嵌接部に対応する嵌接部が設けられており、上部プレートと下部プレートは嵌接部によってお互いに接合され、上部環状壁と下部環状壁は交錯し、且つ一定の距離を保って分布しており、各上部環状壁はちょうど対応する各下部環状道の適当な深さまで進入することができ、各下部環状道の底面と下部環状壁は適当な距離を有し、下部環状壁はちょうど対応する各上部環状道の適当な深さまで進入することができ、各上部環状道の底面と上部環状壁は適当な距離を有していることを特徴とする蟻の嗅覚と視覚を混乱させる防蟻装置。
【請求項２】
前記上部プレートと下部プレートは一般の幾何形にすることができ、上部環状壁と下部環状壁はそれぞれ上部プレートと下部プレートの幾何形に基づいて設置されていることを特徴とする蟻の嗅覚と視覚を混乱させる防蟻装置。
【請求項３】
前記上部プレートと下部プレートには同心に分布させる方式により数層の上部環状壁と下部環状壁が設置されていることを特徴とすることを特徴とする蟻の嗅覚と視覚を混乱させる防蟻装置。
【請求項４】
上部プレートのプレート面の外縁には環状壁が上向きに伸びており、内部が中空の容器形態を形成していることを特徴とする蟻の嗅覚と視覚を混乱させる防蟻装置。
【発明の詳細な説明】
【技術分野】
【０００１】
本発明は防蟻装置に係り、特に蟻の嗅覚と視覚を混乱させる防蟻装置に関わる。
【背景技術】
【０００２】
公知構造の防蟻装置はその大部分が水を防護層としたものであり、例えば台湾実用新案申請第８２２００２２７号の防蟻多目的プレートセットがあり、蟻の侵入を防いでおり、薬剤や樟脳の玉などを使用したものとしては、例えば台湾実用新案申請第８５２００２４３号の防蟻座があり、蟻を電撃駆除するものとしては、例えば台湾実用新案申請第８１２００５１４号の防蟻座がある。しかし、上述の公知構造を応用した場合、良くない点があり、実際に実施した時、下に示すような幾つかの欠点が発生する。
【０００３】
１  水を防護層とする防蟻装置においては、常に水位に注意を払い、水を換える必要があり、そうしない場合、水位を失ってしまい、防蟻効果が弱くなったり、蚊や蝿が容易に発生してしまったりし、そのため前記公知構造品は操作に不便であるだけでなく、容易に不注意により前記公知構造品をひっくり返してしまい、水を撒き散らして周辺の環境に影響を与えてしまうことがある。
【０００４】
２  薬剤や樟脳の玉を使用した防蟻装置においては、薬剤や樟脳の玉により蟻を駆除する効果があるが、放出される臭いは人体に影響を与え、前記薬剤や樟脳の玉が揮発して無くなった場合、再び補充する必要があり、そのため使用に不便であるだけでなく、人体の健康に危害を与える。
【０００５】
３  電撃駆除する方式のものは、脚座にコイル線を巻いて導電するものであり、無駄に電気を消費するだけでなく、不注意によりコイル線に触れてしまい、感電する状況が発生する可能性がある。
【０００６】
公知構造の防蟻装置の構造設計上の欠点、使用上不便な点、人体の健康に危害を与えるという欠点等を鑑み、本発明の発明者は研究開発を行い、ついに確実に実用性を有する本発明を完成した。
【発明の開示】
【発明が解決しようとする課題】
【０００７】
本発明の目的は構造が簡単で、使用上便利であり、確実に防蟻効果を有する防蟻装置を提供することであり、蟻の嗅覚と視覚を混乱させることにより防蟻効果を達成するものである。
【課題を解決するための手段】
【０００８】
前記課題を解決するために、
請求項１の発明は、蟻の嗅覚と視覚を混乱させる防蟻装置において、
上部プレートの底面からは下向きに数本の同心であり、且つ内側から外側に向かって数層に並ぶ上部環状壁が設けられており、それにより隣り合う二つの上部環状壁は数層の独立した上部環状道を形成しており、上部プレートの中央には嵌接部が設けられており、
下部プレートの頂面からは上向きに数本の同心であり、且つ内側から外側に向かって数層に並ぶ下部環状壁が設けられており、それにより隣り合う二つの下部環状壁は数層の独立した下部環状道を形成しており、下部プレートの中央には上部プレートの嵌接部に対応する嵌接部が設けられており、上部プレートと下部プレートは嵌接部によってお互いに接合され、上部環状壁と下部環状壁は交錯し、且つ一定の距離を保って分布しており、各上部環状壁はちょうど対応する各下部環状道の適当な深さまで進入することができ、各下部環状道の底面と下部環状壁は適当な距離を有し、下部環状壁はちょうど対応する各上部環状道の適当な深さまで進入することができ、各上部環状道の底面と上部環状壁は適当な距離を有していることを特徴とする蟻の嗅覚と視覚を混乱させる防蟻装置である。
【０００９】
請求項２の発明は、前記上部プレートと下部プレートは一般の幾何形にすることができ、上部環状壁と下部環状壁はそれぞれ上部プレートと下部プレートの幾何形に基づいて設置されることを特徴とする蟻の嗅覚と視覚を混乱させる防蟻装置である。
【００１０】
請求項３の発明は、前記上部プレートと下部プレートには同心に分布させる方式により数層の上部環状壁と下部環状壁が設置されていることを特徴とすることを特徴とする蟻の嗅覚と視覚を混乱させる防蟻装置である。
【００１１】
請求項４の発明は、上部プレートのプレート面の外縁には環状壁が上向きに伸びており、内部が中空の容器形態を形成していることを特徴とする蟻の嗅覚と視覚を混乱させる防蟻装置である。
【発明の効果】
【００１２】
本発明により、使用が容易であり、周辺環境を汚染せず、電気を消費しない等の優れた点を有し、公知構造の欠点を改善することができる蟻防止装置を提供することができた。
【発明を実施するための最良の形態】
【００１３】
図１、２は、本発明を分解した時の上部プレート１０と下部プレート２０の基本構造であり、主な特徴として、上部プレート１０の底面からは下向きに数本の同心であり、且つ内側から外側に向かって数層に並ぶ上部環状壁３０が設けられており、それにより隣り合う二つの上部環状壁３０は数層の独立した上部環状道６０を形成しており、上部プレート１０の中央には嵌接部４０が設けられており、下部プレート２０の頂面からは上向きに数本の同心であり、且つ内側から外側に向かって数層に並ぶ下部環状壁３５が設けられており、それにより隣り合う二つの下部環状壁３５は数層の独立した下部環状道７０を形成しており、下部プレート2０の中央には上部プレート１０の嵌接部４０に対応する嵌接部４５が設けられている。
【００１４】
図１、３、５に示すように、本発明を組立てた時、上部プレート１０と下部プレート２０はお互いに重なり合い、上部プレート１０の嵌接部４０と下部プレート２０の嵌接部４５は嵌合されて中央に支柱が形成され、上部環状壁３０と下部環状壁３５は交錯し、且つ一定の距離を保って分布しており、各上部環状壁３０はちょうど対応する各下部環状道７０の適当な深さまで進入することができ、各下部環状道７０の底面と下部環状壁３５は適当な距離を有し、下部環状壁はちょうど対応する各上部環状道の適当な深さまで進入することができ、各上部環状道６０の底面と上部環状壁３０は適当な距離を有しており、即ち、本発明の組立て後の形態となっており、上述の間隔距離は蟻８０が登ることができる高さよりも高くする必要があり、それにより蟻８０が下部プレート２０の外縁から直接上部プレート１０に登るのを防いでいる。
【００１５】
図３、４に示すように、本発明を使用する時、上部プレート１０の底面からは下向きに数本の同心であり、且つ内側から外側に向かって数層に並ぶ上部環状壁３０と、下部プレート２０の頂面からは上向きに数本の同心であり、且つ内側から外側に向かって数層に並ぶ下部環状壁３５が設けられており、上部プレート１０と下部プレート２０はそれぞれ独立して上部環状道６０と下部環状道７０を形成しており、上部環状壁３０と下部環状壁３５が交差して設置されていることにより、迷宮のような上部環状道６０と下部環状道７０が形成されており、蟻８０は性に基づいて一般に登ることが得意であり、フェロモンを有する化学腺体を情報伝達の手段やマーキングとしているが、経路、環境、捕食を識別するためには視覚と嗅覚が必須であり、蟻の捕食方式は通常働き蟻に食物を探しに行かせ、その後、他の蟻に食物の位置を通知し、捕食に出掛ける方法をとる。蟻８０は視覚と触角による触覚を頼って前進し、本発明は蟻８０の習性を利用して設計されており、図３に示すように、蟻８０が外部から上部プレート１０上に行こうとした時、最も外層である下部環状壁３５から下部環状道７０に進入し、下部環状道７０を進んだ後、下部環状壁３５を登って内層の下部環状道７０に進入し、蟻８０が上部プレート１０に登ろうとした場合、いくつもの下部環状壁３５を登り越える必要があり、各下部環状壁３５と各上部環状壁３０は何層にも交錯しており、蟻８０は視覚によって道筋を判断することが難しくなり、各隣り合う下部環状壁３５間によって形成されている独立した下部環状道７０は蟻８０にとって言えば、非常に広く、進むのに好都合であり、蟻８０は本能に基づき、下部環状道７０を回り続け、その過程において、上部環状道６０と下部環状道７０の景色はどの位置においても同一であるために、蟻は視覚上混乱を起こし、観察によると、蟻８０は下部環状道７０を何千回も回った後、動きが遅くなったり、その場に停滞したりする現象が発生し、さらに観察すると、一般に蟻８０は餓死したり、本装置から出て行ったりし、本装置の上部プレート１０の上に食物を置いた場合、本装置は複雑に交錯する上部環状プレート３０と下部環状プレート３５を有しているので、食物の匂いが広がるのを遮断し、匂いを希釈させる作用があり、内層になればなるほど食物の匂いは薄くなり、加えて上部環状道６０と下部環状道７０の視覚角度は完全に同じなので蟻８０は嗅覚と視覚において混乱や判断の遅れを起こし、捕食を諦めさせることができ、防蟻効果を有することができる。
【００１６】
図４は本発明において蟻が進む最短経路を示したものであり、上部プレート１０の底面からは下向きに伸びており、数本の同心であり、且つ内側から外側に向かって数層に並ぶ上部環状壁３０と、下部プレート２０頂面から上向きに伸びており、数本の同心であり、且つ内側から外側に向かって数層に並ぶ下部環状壁３５によって、交錯しており、一定の距離を有する上部環状道６０と下部環状道７０が形成されており、前記交錯して複雑な上部環状道６０と下部環状道７０は蟻８０が上部プレート１０の台上に到達するまでの距離を長くするために設置されており、蟻８０が下部環状道７０に進入した時、視覚上経路に対して混乱を起こし、ずっと前進し続け、仮に蟻８０が上部環状道６０に到達した場合でも、重力によって蟻８０はさらに進みにくい状態になり、さらに体力を消費する。これにより上述の構造の目的は蟻８０が上部プレート１０の台上に到達するまでの距離を長くするためと、蟻８０の体力を消耗させ、蟻８０を引き返させたり、上部環状道６０と下部環状道７０内に閉じ込めることであり、それにより防蟻の目的を達成するものである。
【００１７】
図６は本発明のもう１つの実施例であり、上部プレート１０のプレート面の外縁に上向きに環状壁６５を設置し、内部に中空の形態を形成しており、中空の内部に食品を入れたり、環状壁６５をさらに高くし、ゴミ箱として使用したりすることができ、確実に防蟻効果を達成することができるものである。
【００１８】
上述の構造設計により、本考案は下に示す優れた点を有する。
【００１９】
１  本考案の構造は使用上非常に簡単で便利であり、公知構造のように常に水位や、薬剤、樟脳の玉があるかどうかを注意する必要がなく、また電気を使用する必要もなく、感電する心配もない。
２  本発明は如何なる薬剤、樟脳の玉をも添加しておらず周辺環境や人体の健康に影響を与えることはない。
３  本発明の構造は簡単で、製造が容易であり、そのためにコストが比較的安く、市場における競争力を有する。
【００２０】
以上をまとめると、本発明の構造は、使用上容易である点、周辺環境を汚染しない点、電気を消費しない点等の優れた点を有し、公知構造の欠点を改善することができるものであり、確実に新規性と実用性を有し、特許請求の要件を満たすものである。
【図面の簡単な説明】
【００２１】
【図１】本発明を分解した時の立体図である。
【図２】本発明を分解した時の底面図である。
【図３】本発明の組立て後の断面図である。
【図４】本発明における蟻の進む経路を示す図である。
【図５】本発明の立体外観図である。
【図６】本発明のもう１つの実施例を示す図である。
【符号の説明】
【００２２】
１０      上部プレート
２０      下部プレート
３０      上部環状壁
３５      下部環状壁
４０      嵌接部
４５      嵌接部
６０      上部環状道
６５      環状壁
７０      下部環状道
８０      蟻
【図１】
2005516598.tif 000003
【図２】
2005516598.tif 000004
【図３】
2005516598.tif 000005
【図４】
2005516598.tif 000006
【図５】
2005516598.tif 000007
【図６】
2005516598.tif 000008
【国際調査報告】
2005516598.tif 000009
2005516598.tif 000010
2005516598.tif 000011
2005516598.tif 000012